【手続補正書】
【提出日】平成15年10月3日(2003.10.3)
【手続補正１】
【補正対象書類名】明細書
【補正対象項目名】発明の名称
【補正方法】変更
【補正の内容】
【発明の名称】署名照合方法及び装置


【手続補正２】
【補正対象書類名】明細書
【補正対象項目名】特許請求の範囲
【補正方法】変更
【補正の内容】
【特許請求の範囲】
【請求項１】
Ｎ個（Ｎは２以上の整数）の基準署名データを予め登録する第１のステップと、
手書き署名の筆跡情報である署名データが入力された場合に、その入力署名データと前記Ｎ個の基準署名データの各々とを比較して、前記入力署名データと前記Ｎ個の基準署名データとの間のＮ個の相違度を算出する第２のステップと、
前記Ｎ個の基準署名データに対応する各相違度をそれぞれ座標軸とするＮ次元空間における前記入力署名データの座標位置を、前記第１のステップで算出された前記入力署名データと前記Ｎ個の基準署名データとの間の各相違度に基づいて求め、前記Ｎ次元空間の各軸から第１の距離内の領域と原点から第２の距離以上離れた領域を偽署名領域とすると共に、それ以外の領域を真署名領域とした場合に、前記求めた座標位置が前記真署名領域、或いは前記偽署名領域のいずれに属するかにより、前記入力署名データの示す入力署名が、真署名であるか或いは偽署名であるかの真偽を判定する第３のステップとを具備することを特徴とする署名照合方法。
【請求項２】
手書き署名の筆跡情報である署名データが入力された場合に、その入力署名データと、その時点において登録されているＮ個（Ｎは２以上の整数）の基準署名データとを比較して、前記入力署名データと前記Ｎ個の基準署名データとの間のＮ個の相違度を算出する第１のステップと、
前記第１のステップで算出されたＮ個の相違度に基づいて、前記入力署名データの示す入力署名が、真署名であるか或いは偽署名であるかの真偽を判定する第２のステップと、
前記第２のステップで前記入力署名が真署名と判定された場合に、その時点において登録されている前記Ｎ個の基準署名データのうち、最も古い時刻に登録された基準署名データを前記入力署名データに置き換える第３のステップとを具備することを特徴とすることを特徴とする署名照合方法。
【請求項３】
手書き署名の筆跡情報である署名データが入力された場合に、その入力署名データと、その時点において登録されているＮ個（Ｎは１以上の整数）の基準署名データとを比較して、前記入力署名データと前記Ｎ個の基準署名データとの間のＮ個の相違度を算出する第１のステップと、
前記第１のステップで算出されたＮ個の相違度に基づいて、前記入力署名データの示す入力署名が、真署名であるか或いは偽署名であるかの真偽を判定する第２のステップと、
前記第２のステップで前記入力署名が真署名と判定された場合に、その時点において登録されている前記Ｎ個の基準署名データのうち、前記入力署名データとの相違度が最も小さい基準署名データである最近基準署名データを、前記入力署名データと当該最近基準署名データとの荷重平均をとることにより作成される新たな基準署名データに置き換える第３のステップとを具備することを特徴とする署名照合方法。
【請求項４】
手書き署名の筆跡情報である署名データが入力された場合に、その入力署名データと、その時点において登録されているＮ個（Ｎは１以上の整数）の基準署名データとを比較して、前記入力署名データと前記Ｎ個の基準署名データとの間のＮ個の相違度を算出する第１のステップと、
前記第１のステップで算出されたＮ個の相違度に基づいて、前記入力署名データの示す入力署名が、真署名であるか或いは偽署名であるかの真偽を判定する第２のステップと、
前記第２のステップで前記入力署名が真署名と判定された場合に、その時点において登録されている前記Ｎ個の基準署名データのうち、前記入力署名データとの相違度が最も小さい基準署名データである最近基準署名データを、前記入力署名データと当該最近基準署名データとの荷重平均をとることにより作成される新たな基準署名データに置き換える第３のステップと、
前記第３のステップで使用する前記荷重平均の重みパラメータを、前記入力署名が真署名であると判定された回数を基に制御する第４のステップとを具備することを特徴とする署名照合方法。
【請求項５】
手書き署名の筆跡情報である署名データが入力された場合に、その入力署名データと、その時点において登録されているＮ個（Ｎは２以上の整数）の基準署名データとを比較して、前記入力署名データと前記Ｎ個の基準署名データとの間のＮ個の相違度を算出する第１のステップと、
前記第１のステップで算出されたＮ個の相違度に基づいて、前記入力署名データの示す入力署名が、真署名であるか或いは偽署名であるかの真偽を判定する第２のステップと、
前記第２のステップで前記入力署名が真署名と判定された場合に、その時点において登録されている前記Ｎ個の基準署名データのうち、前記入力署名データとの相違度が最も大きい基準署名データを、当該入力署名データに置き換える第３のステップとを具備することを特徴とする署名照合方法。
【請求項６】
手書き署名の筆跡情報である署名データが入力された場合に、その入力署名データと、その時点において登録されているＮ個（Ｎは２以上の整数）の基準署名データとを比較して、前記入力署名データと前記Ｎ個の基準署名データとの間のＮ個の相違度を算出する第１のステップと、
前記第１のステップで算出されたＮ個の相違度に基づいて、前記入力署名データの示す入力署名が、真署名であるか或いは偽署名であるかの真偽を判定する第２のステップと、
前記第２のステップで前記入力署名が真署名と判定された場合に、前記各基準署名データにそれぞれ対応して記憶される照合貢献度であって、前記第１のステップで前記入力署名が真署名と判定された最近Ｍ回（Ｍは１以上の整数）の照合のうち、前記入力署名データと当該基準署名データとの相違度が、前記入力署名データと他の基準署名データとの相違度より小さかった回数を示すための照合貢献度のうち、前記第１のステップで算出された前記入力署名データとの相違度が最も小さい基準署名データに対応する照合貢献度を更新する第３のステップと、
前記第２のステップで前記入力署名が真署名と判定された回数がＭ回となる毎に、前記Ｎ個の基準署名データのうち、対応する前記照合貢献度が最も小さい基準署名データを、前記入力署名データに置き換えると共に、前記各照合貢献度を初期化する第４のステップとを具備することを特徴とする署名照合方法。
【請求項７】
手書き署名の筆跡情報である署名データが入力された場合に、その入力署名データと、その時点において登録されているＮ個（Ｎは１以上の整数）の基準署名データとを比較して、前記入力署名データと前記Ｎ個の基準署名データとの間のＮ個の相違度を算出する第１のステップと、
前記第１のステップで算出されたＮ個の相違度に基づいて、前記入力署名データの示す入力署名が、真署名であるか或いは偽署名であるかの真偽を判定する第２のステップと、
前記第２のステップで前記入力署名が真署名と判定された場合に、対応する前記入力署名データを記憶する第３のステップと、
前記第２のステップで前記入力署名が真署名と判定された回数がＭ回（Ｍは１以上の整数）となる毎に、前記Ｎ個の基準署名データ、及びその時点において記憶されているＭ個の前記入力署名データに基づいて新たなＮ個の基準署名データを作成し、現在の前記Ｎ個の基準署名データを当該新たなＮ個の基準署名データに置き換える第４のステップとを具備することを特徴とする署名照合方法。
【請求項８】
手書き署名の筆跡情報である署名データが入力された場合に、その入力署名データと、その時点において登録されている１個の基準署名データとを比較して、前記入力署名データと前記基準署名データとの間の相違度を算出する第１のステップと、
前記第１のステップで算出された相違度に基づいて、前記入力署名データの示す入力署名が、真署名であるか或いは偽署名であるかの真偽を判定する第２のステップと、
前記第２のステップで前記入力署名が真署名と判定された場合に、その時点において登録されている前記基準署名データを前記入力署名データに置き換える第３のステップとを具備することを特徴とすることを特徴とする署名照合方法。
【請求項９】
Ｎ個（Ｎは２以上の整数）の基準署名データが予め登録されている基準署名記憶手段と、
手書き署名の筆跡情報である署名データを入力する署名入力手段と、
前記署名入力手段により入力された署名データと前記Ｎ個の基準署名データの各々とを比較して、前記入力署名データと前記Ｎ個の基準署名データとの間のＮ個の相違度を算出する相違度計算手段と、
前記Ｎ個の基準署名データに対応する各相違度をそれぞれ座標軸とするＮ次元空間における前記入力署名データの座標位置を、前記相違度計算手段により算出された前記入力署名データと前記Ｎ個の基準署名データとの間の各相違度に基づいて求め、前記Ｎ次元空間の各軸から第１の距離内の領域と原点から第２の距離以上離れた領域を偽署名領域とすると共に、それ以外の領域を真署名領域とした場合に、前記求めた座標位置が前記真署名領域、或いは前記偽署名領域のいずれに属するかにより、前記入力署名データの示す入力署名が、真署名であるか或いは偽署名であるかの真偽を判定する真偽判定手段とを具備することを特徴とする署名照合装置。
【請求項１０】
Ｎ個（Ｎは１以上の整数）の基準署名データが登録されている基準署名記憶手段と、
手書き署名の筆跡情報である署名データを入力する署名入力手段と、
前記署名入力手段により入力された署名データと、その時点において前記基準署名記憶手段に登録されている前記Ｎ個の基準署名データとを比較して、前記入力署名データと前記Ｎ個の基準署名データとの間のＮ個の相違度を算出する相違度計算手段と、
前記相違度計算手段により算出されたＮ個の相違度に基づいて、前記入力署名データの示す入力署名が、真署名であるか或いは偽署名であるかの真偽を判定する真偽判定手段と、
前記真偽判定手段により前記入力署名が真署名と判定された場合に、その時点において前記基準署名記憶手段に登録されている前記Ｎ個の基準署名データのうち、前記入力署名データとの相違度が最も小さい基準署名データである最近基準署名データを、前記入力署名データと当該最近基準署名データとの荷重平均をとることにより作成される新たな基準署名データに置き換える基準署名更新手段とを具備することを特徴とする署名照合装置。
【手続補正３】
【補正対象書類名】明細書
【補正対象項目名】０００１
【補正方法】変更
【補正の内容】
【０００１】
【発明の属する技術分野】
本発明は、手書き署名データに対して、本人の署名であるか否かという真偽を高精度に判定するのに好適な署名照合方法及び装置に関する。


【手続補正４】
【補正対象書類名】明細書
【補正対象項目名】０００９
【補正方法】変更
【補正の内容】
【０００９】
本発明は上記事情を考慮してなされたものでその目的は、複数のサンプル署名を基準署名として登録し、入力署名とそれぞれの基準署名の間の照合値を計算し、各照合値の張る空間上における入力署名の位置を基に真偽を判定することにより、高精度な署名照合が行える署名照合方法及び装置を提供することにある。


【手続補正５】
【補正対象書類名】明細書
【補正対象項目名】００１０
【補正方法】変更
【補正の内容】
【００１０】
本発明の他の目的は、日々の運用の中で何度も照合を行っていくうちに、署名の経時変化に対応したよりよい基準署名に自動的に更新でき、照合精度の向上が図れる署名照合方法及び装置を提供することにある。